【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
燃料タンク（３）内の燃料を内燃機関（２）に供給する燃料ポンプ（７）に取り付けられ、燃料を濾過するフィルタモジュール（８）であって、
内側にキャビティ（４１０）を形成し前記キャビティと外部との間で燃料および空気を透過可能なフィルタスクリーン（４１）、ならびに、前記キャビティと外部とを連通するよう前記フィルタスクリーンに形成されたフィルタ開口部（４１１）を有するサクションフィルタ（４０）と、
筒状のコネクタ本体（６１）、前記コネクタ本体の一端に形成され前記フィルタ開口部に接続されたコネクタ入口（６４）、前記コネクタ本体の他端に形成され前記燃料ポンプの吸入口（２１）に接続されるコネクタ出口（６５）、および、前記コネクタ本体の内側と外側とを連通するコネクタ開口部（６６）を有するコネクタ（６０）と、
筒状のジェットポンプ本体（８１）、前記ジェットポンプ本体の一端に形成され前記コネクタ開口部に接続されたジェットポンプ入口（８４）、前記ジェットポンプ本体の他端に形成されたジェットポンプ出口（８５）、および、前記ジェットポンプ本体の内側に設けられたノズル出口（８６２）から燃料を前記ジェットポンプ出口側に噴出するジェットノズル（８６）を有するジェットポンプ（８０）と、
を備えるフィルタモジュール。
【請求項２】
前記燃料ポンプに取り付けられた状態において、前記ジェットポンプ入口は、前記燃料ポンプの前記吸入口の軸（Ａｘ２）に対し鉛直方向上側に位置する請求項１に記載のフィルタモジュール。
【請求項３】
前記ジェットポンプ出口は、前記燃料ポンプの前記吸入口の軸（Ａｘ２）に対し鉛直方向下側に位置する請求項２に記載のフィルタモジュール。
【請求項４】
前記ジェットポンプは、前記ノズル出口に連通するノズル入口（８６１）を有し、
前記ノズル入口は、前記燃料ポンプの吐出口（２２）と前記内燃機関とを接続する燃料通路（１５）に接続する請求項１〜３のいずれか一項に記載のフィルタモジュール。
【請求項５】
前記ノズル入口は、前記燃料通路の圧力を所定の値に保つプレッシャレギュレータ（１１）の出口（１１２）に接続し、前記プレッシャレギュレータを経由して前記燃料通路に接続する請求項４に記載のフィルタモジュール。
【請求項６】
前記ジェットポンプは、前記ノズル出口に連通するノズル入口（８６１）を有し、
前記ノズル入口は、前記燃料ポンプの吐出口（２２）と前記内燃機関とを接続する燃料通路（１５）の圧力を所定の値に保つプレッシャレギュレータ（１１）に対し前記燃料ポンプ側において前記吐出口に接続する請求項１または２に記載のフィルタモジュール。
【請求項７】
前記ジェットポンプは、前記ノズル出口に連通するノズル入口（８６１）を有し、
前記ノズル入口は、前記燃料ポンプのポンプ室（２３）で発生したベーパを排出可能なベーパ排出孔（２５）に接続する請求項１または２に記載のフィルタモジュール。
【請求項８】
前記ジェットポンプは、前記ジェットポンプ本体の内側の前記ノズル出口と前記ジェットポンプ出口との間に設けられ、内径が前記ジェットポンプ本体の内径より小さいベンチュリ（８７）を有する請求項１〜７のいずれか一項に記載のフィルタモジュール。
【請求項９】
前記ノズル出口および前記ベンチュリは、同軸に設けられている請求項８に記載のフィルタモジュール。
【請求項１０】
前記燃料ポンプに取り付けられた状態において、前記ジェットポンプ出口は、前記サクションフィルタに対し鉛直方向上側に位置する請求項１〜９のいずれか一項に記載のフィルタモジュール。
【請求項１１】
前記燃料ポンプに取り付けられた状態において、前記ジェットポンプ入口は、前記コネクタ出口を通る水平面（ｈｐ１）に対し鉛直方向上側に位置する請求項１〜１０のいずれか一項に記載のフィルタモジュール。
【請求項１２】
前記コネクタ本体は、前記コネクタ入口と前記コネクタ出口との間に、屈曲する部位である屈曲部（６７）を有し、
前記コネクタ開口部は、前記屈曲部に形成されている請求項１１に記載のフィルタモジュール。
【請求項１３】
前記燃料ポンプに取り付けられた状態において、前記ジェットポンプ入口は、前記フィルタ開口部を通る水平面（ｈｐ２）に対し鉛直方向上側に位置する請求項１〜１２のいずれか一項に記載のフィルタモジュール。
【請求項１４】
前記ジェットポンプ入口および前記フィルタ開口部は、同軸に設けられている請求項１３に記載のフィルタモジュール。
【請求項１５】
前記ジェットポンプ本体の内側に設けられ、前記ジェットポンプ入口側から前記ジェットポンプ出口側への燃料の流れを許容し、前記ジェットポンプ出口側から前記ジェットポンプ入口側への燃料の流れを規制するチェックバルブ（９１）をさらに備える請求項１〜１４のいずれか一項に記載のフィルタモジュール。
【請求項１６】
前記コネクタ開口部と前記ジェットポンプ入口とを接続するホース（１７）をさらに備える請求項１〜１５のいずれか一項に記載のフィルタモジュール。
【請求項１７】
前記コネクタ本体の内側において前記コネクタ開口部と前記コネクタ出口との間に設けられ、燃料中の空気を捕捉可能な捕捉フィルタ（９７）をさらに備える請求項１〜１６のいずれか一項に記載のフィルタモジュール。
【請求項１８】
前記コネクタ本体の内側において前記コネクタ開口部と前記コネクタ出口との間に設けられた板部（９８）をさらに備え、
前記燃料ポンプに取り付けられた状態において、前記板部は、前記コネクタ開口部の前記コネクタ出口側の端部から鉛直方向下側へ傾斜するよう設けられている請求項１〜１７のいずれか一項に記載のフィルタモジュール。
【請求項１９】
前記コネクタ入口の近傍に設けられ、前記キャビティ側から前記コネクタ出口側への燃料の流れを許容し、前記コネクタ出口側から前記キャビティ側への燃料の流れを規制する規制バルブ（９４）をさらに備える請求項１〜１８のいずれか一項に記載のフィルタモジュール。
【請求項２０】
請求項１〜１９のいずれか一項に記載のフィルタモジュール（８）と、
燃料を吸入する前記吸入口を有し、前記吸入口が前記コネクタ出口に接続する前記燃料ポンプ（７）と、を備え、
前記サクションフィルタは、扁平状に形成されており、
前記燃料ポンプは、長尺状に形成されており、長手方向が前記サクションフィルタの面方向に対し平行になるよう設けられている燃料ポンプモジュール（６）。
【請求項２１】
前記燃料タンク内に設けられた状態において、前記燃料ポンプは、前記サクションフィルタに対し鉛直方向上側に位置する請求項２０に記載の燃料ポンプモジュール。
【請求項２２】
前記燃料タンク内に設けられた状態において、
前記サクションフィルタは、面方向が水平方向に沿うよう設けられ、
前記燃料ポンプは、長手方向が水平方向に沿うよう設けられる請求項２０または２１に記載の燃料ポンプモジュール。
【請求項２３】
前記ジェットノズルおよび前記ジェットポンプ出口は、軸が前記燃料ポンプの長手方向に対し平行となるよう設けられている請求項２０〜２２のいずれか一項に記載の燃料ポンプモジュール。
【請求項２４】
前記燃料タンク内に設けられた状態において、
前記サクションフィルタに対し鉛直方向上側において前記ジェットポンプ出口の軸（Ａｘ１）上に設けられた壁部（９５、９６）をさらに備える請求項２０〜２３のいずれか一項に記載の燃料ポンプモジュール。